(57)【要約】【課題】  ＦＭ放送が休止しているときに、擬似空中線に接続している中継送信機に限り起動させ、ＦＭ中継送信装置の起動確認（点検）作業を行うことができるＦＭ中継送信装置を提供する。【解決手段】  切替制御器４から１号中継送信機２と２号中継送信機３に、ＩＦ回路強制接続の指示を出力し、親局の放送休止中には、送信アンテナに接続された中継送信機のＩＦ回路を遮断しながら、待機入の選択時のみ擬似空中線６に接続された中継送信機を起動できるようにしたＦＭ中継送信装置である。【選択図】        図２
2020127114.tif 000002
【特許請求の範囲】
【請求項１】
複数の中継送信機と、前記複数の中継無線機の切替制御を行う切替制御器とを有するＦＭ中継送信装置であって、
前記切替制御器は、前記複数の中継無線機の内、擬似空中線に接続された中継無線機に対して、中間周波数回路の強制接続の指示を出力し、
前記強制接続の指示を入力した中継無線機は、中間周波数回路の強制接続を行うことを特徴とするＦＭ中継送信装置。
【請求項２】
強制接続の指示を入力した中継無線機は、増幅器の電源オフを解除することを特徴とする請求項１記載のＦＭ中継送信装置。
【請求項３】
切替制御器は、中間周波数回路の強制接続の指示を出力する場合には、待機入の設定が為されることを特徴とする請求項１又は２記載のＦＭ中継送信装置。
【請求項４】
中継無線機は、中間周波数回路の接続リレーを強制的に動作させることで強制接続を行うことを特徴とする請求項１乃至３のいずれか記載のＦＭ中継送信装置。
【発明の詳細な説明】
【技術分野】
【０００１】
本発明は、ＦＭ中継送信装置に係り、特に、親局からＦＭ（Frequency Modulation：周波数変調）放送が休止している時間帯でも装置の起動確認（点検）作業を行うことができるＦＭ中継送信装置に関する。
【背景技術】
【０００２】
［ＦＭ中継送信装置：図４］
ＦＭ中継送信装置の構成について図４を参照しながら説明する。図４は、ＦＭ中継送信装置の構成概略図である。
ＦＭ中継送信装置は、図４に示すように、入力フィルタ１と、１号ＦＭ中継送信機２と、２号ＦＭ中継送信機３と、切替制御器４と、出力フィルタ５と、擬似空中線６とを備えている。
つまり、図４のＦＭ中継送信装置は、２台のＦＭ中継送信機２，３を備える２台方式となっている。
【０００３】
入力フィルタ１は、入力バンドパスフィルタ（ＢＰＦ：Band Pass Filter）と２分配器を備えており、ＦＭ受信入力信号を入力ＢＰＦで特定の帯域を通過させ、その帯域のＦＭ信号を２分配器で２つに分配し、１号ＦＭ中継送信機２と２号ＦＭ中継送信機３に出力する。
【０００４】
１号ＦＭ中継送信機２と２号ＦＭ中継送信機３は、入力フィルタ１から分配されたＦＭ信号を内部で中間周波数（ＩＦ：Intermediate Frequency）に一旦変換して中継のためＦＭ信号に変換して切替制御器４に出力する。
【０００５】
切替制御器４は、１号ＦＭ中継送信機２又は２号ＦＭ中継送信機３からのＦＭ信号の一方（現用機）が出力フィルタ５に出力され、他方（予備機）が擬似空中線６に出力されるよう制御を行う。
図４では、１号ＦＭ中継送信機２からのＦＭ信号を出力フィルタ５に出力し、２号ＦＭ中継送信機３からのＦＭ信号を擬似空中線６に出力している例を示している。
尚、切替制御器４では、２台のＦＭ中継送信機２，３からの監視信号や外部からの操作に応じて切替が行われるようになっている。
【０００６】
出力フィルタ５は、出力ＢＰＦを備えており、切替制御器４からのＦＭ信号について特定の帯域を通過させて、外部にＦＭ送信出力として出力する。
擬似空中線６は、ダミーの空中線である。
【０００７】
［従来の切替制御に係る構成：図５］
次に、従来の切替制御に係る構成について図５を参照しながら説明する。図５は、従来の切替制御に係る構成ブロック図である。
従来の切替制御に係る構成は、図５に示すように、１号ＦＭ中継送信機２´と、２号ＦＭ中継送信機３´と、切替制御器４´とを備えている。
【０００８】
１号ＦＭ中継送信機２´は、ＦＭ信号を入力し、ＦＭ信号の入力を検知して、切替制御器４´にＦＭ入力検知の有／無を出力する。２号ＦＭ中継送信機３´も同様の動作を行う。
切替制御器４´は、１号ＦＭ中継送信機２´と２号ＦＭ中継送信機３´からＦＭ入力検知の有／無が入力されると、ＦＭ入力検知が無いＦＭ中継送信機に対してＡＭＰ ＯＦＦ 制御信号を出力する。
【０００９】
ＡＭＰ ＯＦＦ 制御信号を入力したＦＭ中継送信機は、強制的にＦＭ中継送信機のＡＭＰ（増幅器）をＯＦＦにする。
また、２台のＦＭ中継送信機は共にＦＭ入力検知が無いとき、または待機切の選択時に、擬似空中線線６に接続されたＦＭ中継送信機に対してＡＭＰ ＯＦＦ 制御を行う。
ＦＭ中継送信機内の具体的な制御については後述する。
【００１０】
［従来の中継送信機の内部回路：図６］
次に、従来のＦＭ中継送信機（中継送信機）の内部回路について図６を参照しながら説明する。図６は、従来の中継送信機の内部回路図である。
従来の中継送信機２´の内部回路図は、図６に示すように、受信変換回路（ＲＸ）２１と、電圧比較器２２と、ＩＦ回路接続リレー（ＲＬ）２３と、トランジスタ２４と、送信変換回路（ＴＸ）２５と、多段増幅回路（ＡＭＰ）２６と、接続スイッチ２７と、ＦＭ入力検知スイッチ（ＳＷ）２８と、電源制御回路（ＰＷＲ ＣＯＮＴ）２９とを備えている。
【００１１】
従来の中継送信機２´の内部回路図の動作について説明する。
まず、中継送信機２´にＦＭ信号の入力がある場合について説明する。
ＦＭ信号が中継送信機２´に入力されると、受信変換回路２１で中間周波数（ＩＦ）信号に変換され、接続スイッチ２７に出力されると共に、受信レベル電圧が電圧比較器２２に出力される。
【００１２】
電圧比較器２２では、「−」端子に接続するスケルチレベル電圧と「＋」端子に接続する受信レベル電圧が比較され、ＦＭ信号が受信変換回路２１に入力されていると、スケルチレベル電圧に対して受信レベル電圧はＨｉｇｈ（Ｈ）となる。その出力は、ＦＭ入力検知ＳＷ２８に入力され、ＦＭ入力検知の有無を切替制御器４´に出力する。電圧比較器２２からの信号が「Ｈ」であるので、ＦＭ入力検知の有（ＣＬＯＳＥ）が出力される。
【００１３】
また、電圧比較器２２からの出力がトランジスタ２４のベースに入力され、ベース入力がＨ（ＦＭ入力検知：有）となるので、トランジスタ２４はオンになり、ＩＦ回路接続リレー２３に電流が流れて動作し、接続スイッチ２７がオン（接続）となる。
そして、送信変換回路２５には、受信変換回路２１からのＩＦ信号が入力され、ＦＭ信号に変換して多段増幅回路２６に出力され、多段増幅回路２６は、増幅したＦＭ信号を出力する。
【００１４】
次に、中継送信機２´にＦＭ信号の入力がない場合について説明する。
受信変換回路２１にＦＭ信号の入力がないと、電圧比較器２２は、スケルチレベル電圧に対して受信レベル電圧が低くなり、出力電圧は「Ｌ」になる。
すると、ＦＭ入力検知では無しで、切替制御器４´には無（ＯＰＥＮ）が出力される。
【００１５】
また、電圧比較器２２からの出力電圧が「Ｌ」となるので、トランジスタ２４はオフとなり、ＩＦ回路接続リレー２３に電流が流れずに動作せず、接続スイッチ２７がオフ（切断）となる。そのため、ＩＦ信号は送信変換回路２５には入力されず、多段増幅回路２６からＦＭ出力されない。
【００１６】
更に、切替制御器４´からＡＭＰ ＯＦＦ 制御信号が中継送信機２´の電源制御回路２９に入力され、多段増幅回路２６の電源オフの「ＣＬＯＳＥ」の制御信号が入力されると、電源制御回路２９は、多段増幅回路２６の電源をオフにする。
また、多段増幅回路２６の電源オンの「ＯＰＥＮ」の制御信号が入力されると、電源制御回路２９は、多段増幅回路２６の電源をオンにする。
尚、ＡＭＰ ＯＦＦ 制御信号は、切替制御器４´に設けられた押しボタンによって「ＣＬＯＳＥ」又は「ＯＰＥＮ」が選択されるようになっている。
【００１７】
［従来の切替制御器の論理系統：図７］
次に、従来の切替制御器の論理系統について図７を参照しながら説明する。図７は、従来の切替制御器の論理系統図である。
切替制御器４´では、図７に示すように、１号中継送信機と２号ＦＭ中継送信機からＦＭ入力検知信号が入力される。図７では、ＦＭ入力検知無し（ＯＰＥＮ）が入力された場合を説明する。
【００１８】
１号受信無（１号中継送信機からＦＭ入力検知無し）の場合、２号受信無（２号中継送信機からＦＭ入力検知無し）の場合は、「Ｈ」の信号が反転論理和（反転ＯＲ）回路４１に入力される。
反転ＯＲ回路４１は、入力が共に「Ｈ」の場合に、出力が「Ｌ」になるが、それ以外の入力の場合は、出力が「Ｈ」になる。
【００１９】
また、１号中継送信機がＦＭ出力用のアンテナ（１号アンテナ）に接続中の場合は「Ｈ」を出力し、接続していない場合は「Ｌ」を出力する。
また、２号中継送信機がＦＭ出力用のアンテナ（２号アンテナ）に接続中の場合は「Ｈ」を出力し、接続していない場合は「Ｌ」を出力する。
通常、１号アンテナ又は２号アンテナの一方が接続中となる。
【００２０】
更に、切替制御器４´に設けられた待機中の中継送信機のＡＭＰ２６をオン／オフするスイッチにより、待機入が選択されると「Ｈ」信号が出力される。この入「Ｈ」は、待機中の中継送信機のＡＭＰ２６をオンにするものである。待機切「Ｌ」は、待機中の中継送信機のＡＭＰ２６をオフにするものである。
【００２１】
反転ＯＲ回路４１は、１号受信無と２号受信無の両方の場合に出力が「Ｌ」となり、その出力が反転回路４８に入力され、反転出力「Ｈ」がオンディレータイマ４９に入力され、１０秒（１０ｓｅｃ）後に放送休止を出力する。
従って、１号中継送信機又は２号中継送信機のいずれかにＦＭ入力信号有りであれば、放送休止とはならない。
また、反転ＯＲ回路４１からの出力は、論理積（ＡＮＤ）回路４２，４３，４４，４５に入力される。
【００２２】
ＡＮＤ回路４２〜４５は、反転ＯＲ回路４１からの出力が「Ｌ」の場合（１号受信無と２号受信無の両方の場合）には、出力が「Ｌ」となる。この状態では、排他的論理和（排他的ＯＲ）回路４６，４７からの出力は「Ｈ」となり、１号中継送信機に「ＣＬＯＳＥ」（ＡＭＰ ＯＦＦ／１号 ＡＭＰ ＯＦＦ）を、２号中継送信機に「ＣＬＯＳＥ」（ＡＭＰ ＯＦＦ／２号 ＡＭＰ ＯＦＦ）を出力する。
【００２３】
反転ＯＲ回路４１の出力が「Ｈ」の場合（１号受信有又は２号受信有、若しくは両方が受信有の場合）は、１号アンテナ接続中「Ｈ」で２号アンテナが接続中でない「Ｌ」で、待機入「Ｈ」であれば、ＡＮＤ回路４２，４５は、出力が「Ｈ」となり、ＡＮＤ回路４３，４４は、出力が「Ｌ」となり、排他的ＯＲ回路４６，４７の出力は「Ｌ」となり、１号中継送信機も２号中継送信機もＡＭＰ２６は電源オフにはならない。
反転ＯＲ回路４１の出力が「Ｈ」で、２号アンテナ接続中「Ｈ」で１号アンテナが接続中でない「Ｌ」で、待機入「Ｈ」である場合も、上記と同様の結果となる。
【００２４】
また、反転ＯＲ回路４１の出力が「Ｈ」で、１号アンテナ接続中「Ｈ」で２号アンテナが接続中でない「Ｌ」で、待機切「Ｌ」の場合は、ＡＮＤ回路４２の出力が「Ｈ」で、その他のＡＮＤ回路４３〜４５の出力は「Ｌ」で、排他的ＯＲ回路４６の出力は「Ｌ」で、排他的ＯＲ回路４７の出力は「Ｈ」となり、ＦＭ出力用のアンテナに接続していない２号中継送信機のＡＭＰ２６の電源をオフにする。
【００２５】
また、反転ＯＲ回路４１の出力が「Ｈ」で、２号アンテナ接続中「Ｈ」で１号アンテナが接続中でない「Ｌ」で、待機切「Ｌ」の場合は、ＡＮＤ回路４４の出力が「Ｈ」で、その他のＡＮＤ回路４２，４３，４５の出力は「Ｌ」で、排他的ＯＲ回路４７の出力は「Ｌ」で、排他的ＯＲ回路４６の出力は「Ｈ」となり、ＦＭ出力用のアンテナに接続していない１号中継送信機のＡＭＰ２６の電源をオフにする。
【００２６】
［関連技術］
尚、関連する先行技術として、特開２０１５−０５３６６２号公報「無線中継装置の設定方法」（特許文献１）、特開２００８−１７７８０４号公報「切替制御装置」（特許文献２）、特開２００５−２１０２９９号公報「無線中継システム」（特許文献３）がある。
【００２７】
特許文献１には、無線中継装置のダウンリンク周波数を利用して管理用の無線通信端末から各種設定を行うことが示されている。
特許文献２には、中継に使用している送信機が故障した場合に、放送を中断することなく信号伝送路の切替制御を行うことが示されている。
特許文献３には、受信高周波部の出力にモード切替スイッチを設け、ディジタル受信制御部とアナログ受信制御部を切り替えることが示されている。
【先行技術文献】
【特許文献】
【００２８】
【特許文献１】特開２０１５−０５３６６２号公報
【特許文献２】特開２００８−１７７８０４号公報
【特許文献３】特開２００５−２１０２９９号公報
【発明の概要】
【発明が解決しようとする課題】
【００２９】
しかしながら、従来のＦＭ中継送信装置では、中継送信機のＦＭ入力が無いときに、中継送信機を起動することができず、親局からのＦＭ放送が休止している時間帯で、ＦＭ中継送信装置の起動確認（点検）作業を行うことができないという問題点があった。
【００３０】
尚、特許文献１〜３には、親局からのＦＭ放送が休止している時間帯に、ＦＭ中継送信装置の起動確認（点検）作業を行う構成の記載がない。
【００３１】
本発明は上記実情に鑑みて為されたもので、ＦＭ放送が休止しているときに、擬似空中線に接続している中継送信機に限り起動させ、ＦＭ中継送信装置の起動確認（点検）作業を行うことができるＦＭ中継送信装置を提供することを目的とする。
【課題を解決するための手段】
【００３２】
上記従来例の問題点を解決するための本発明は、複数の中継送信機と、複数の中継無線機の切替制御を行う切替制御器とを有するＦＭ中継送信装置であって、切替制御器が、複数の中継無線機の内、擬似空中線に接続された中継無線機に対して、中間周波数回路の強制接続の指示を出力し、強制接続の指示を入力した中継無線機が、中間周波数回路の強制接続を行うことを特徴とする。
【００３３】
本発明は、上記ＦＭ中継送信装置において、強制接続の指示を入力した中継無線機が、増幅器の電源オフを解除することを特徴とする。
【００３４】
本発明は、上記ＦＭ中継送信装置において、切替制御器が、中間周波数回路の強制接続の指示を出力する場合には、待機入の設定が為されることを特徴とする。
【００３５】
本発明は、上記ＦＭ中継送信装置において、中継無線機が、中間周波数回路の接続リレーを強制的に動作させることで強制接続を行うことを特徴とする。
【発明の効果】
【００３６】
本発明によれば、切替制御器が、複数の中継無線機の内、擬似空中線に接続された中継無線機に対して、中間周波数回路の強制接続の指示を出力し、強制接続の指示を入力した中継無線機が、中間周波数回路の強制接続を行うＦＭ中継送信装置としているので、擬似空中線に接続された中継送信機に限り起動して、親局からのＦＭ放送が休止している時間帯に、ＦＭ中継送信装置の起動確認（点検）作業を行うことができる効果がある。
【図面の簡単な説明】
【００３７】
【図１】本装置の切替制御に係る構成ブロック図である。
【図２】本装置の中継送信機の内部回路図である。
【図３】本装置の切替制御器の論理系統図である。
【図４】ＦＭ中継送信装置の構成概略図である。
【図５】従来の切替制御に係る構成ブロック図である。
【図６】従来の中継送信機の内部回路図である。
【図７】従来の切替制御器の論理系統図である。
【発明を実施するための形態】
【００３８】
本発明の実施の形態について図面を参照しながら説明する。
［実施の形態の概要］
本発明の実施の形態に係るＦＭ中継送信装置（本装置）は、親局からのＦＭ放送が休止しているときに、ＦＭ中継送信装置の出力端子から仕様外のＦＭ信号を送信アンテナへは出力しないようにし、擬似空中線に接続された中継送信機に限り起動するようにし、これにより、親局からのＦＭ放送が休止している時間帯に、ＦＭ中継送信装置の起動確認（点検）作業を行うことができるものである。
【００３９】
［本装置］
本装置は、基本的には図４に示した構成であるが、その中で、切替制御器４、ＦＭ中継送信機２，３の具体的な構成が従来の構成と異なっている。
【００４０】
［本装置の切替制御に係る構成：図１］
次に、本装置の切替制御に係る構成について図１を参照しながら説明する。図１は、本装置の切替制御に係る構成ブロック図である。
本装置の切替制御に係る構成は、図１に示すように、１号ＦＭ中継送信機２と、２号ＦＭ中継送信機３と、切替制御器４とを備えている。
【００４１】
ここで、切替制御器４から２台の中継送信機のユニット間（装置ラック内）に制御線（後述するＩＦ回路強制接続の指示を送信する制御線）を、１本ずつ２系統分を追加する。但し、各系統の制御線（束線）のＤ−ｓｕｂコネクタの空き端子に既に配線（未使用線１本ずつ２系統分）が接続済みである場合は、ユニット間の制御線の追加は不要である。
【００４２】
１号ＦＭ中継送信機２は、ＦＭ信号を入力し、ＦＭ信号の入力を検知して、切替制御器４にＦＭ入力検知の有／無を出力する。２号ＦＭ中継送信機３も同様の動作を行う。
切替制御器４は、１号ＦＭ中継送信機２と２号ＦＭ中継送信機３から同時にＦＭ入力検知の無が入力されると、１号ＦＭ中継送信機２と２号ＦＭ中継送信機３に対してＡＭＰ ＯＦＦ 制御信号を出力する。
ＡＭＰ ＯＦＦ 制御信号が入力されたＦＭ中継送信機は、強制的にＦＭ中継送信機のＡＭＰ（増幅器）をＯＦＦにする。
【００４３】
更に、切替制御器４は、１号ＦＭ中継送信機２と２号ＦＭ中継送信機３に追加した制御線を用いてＩＦ回路強制接続の指示を出力する。
ＩＦ回路強制接続の指示を入力したＦＭ中継送信機は、ＩＦ回路を遮断しているリレー（ＩＦ回路接続リレーと接続スイッチ）を動作させ、ＡＭＰの起動又は停止状態にかかわらず、中継送信機から仕様外のＦＭ信号を出力する。
【００４４】
［本装置の中継送信機の内部回路：図２］
次に、本装置のＦＭ中継送信機（中継送信機）の内部回路について図２を参照しながら説明する。図２は、本装置の中継送信機の内部回路図である。
本訴の中継送信機２の内部回路図は、図２に示すように、受信変換回路（ＲＸ）２１と、電圧比較器２２と、ＩＦ回路接続リレー（ＲＬ）２３と、トランジスタ２４と、送信変換回路（ＴＸ）２５と、多段増幅回路（ＡＭＰ）２６と、接続スイッチ２７と、ＦＭ入力検知スイッチ（ＳＷ）２８と、電源制御回路（ＰＷＲ ＣＯＮＴ）２９とを備えている。
【００４５】
そして、２台の中継送信機の内部に、Ｄ−ｓｕｂコネクタ裏面に配線を追加し、制御接点入力「ＩＦ回路強制接続」の端子を追加する。
具体的には、トランジスタ２４のコレクタ側の点ａに一方の配線が接続し、トランジスタ２４のエミッタ側の点ｂに他方の配線を接続し、２つの配線をＩＦ回路強制接続端子に接続する。
【００４６】
トランジスタ２４のベースに「Ｈ」の電圧が入力されていないとトランジスタ２４がオンとならず、ＩＦ回線接続リレー２３が動作せず、切替スイッチ２７が非接続のままである。
但し、切替制御器４からのＩＦ回路強制接続の指示によりＩＦ回路強制接続端子を用いて、トランジスタ２４のコレクタ側の点ａとエミッタ側の点ｂを強制的に接続して電流を流すと、ＩＦ回線接続リレー２３が動作し、切替スイッチ２７が接続状態となる。
これにより、ＦＭ信号がなくても、受信変換回路２１からのＩＦ信号が送信変換回路２５を介いてＡＭＰ２６に出力され、ＡＭＰ２６で増幅してＦＭ信号を出力できる。
【００４７】
本装置の中継送信機２の内部回路図の動作について説明する。
まず、中継送信機２にＦＭ信号の入力がある場合について説明する。
ＦＭ信号が中継送信機２に入力されると、受信変換回路２１で中間周波数（ＩＦ）信号に変換され、接続スイッチ２７に出力されると共に、受信レベル電圧が電圧比較器２２に出力される。
【００４８】
電圧比較器２２では、「−」端子に接続するスケルチレベル電圧と「＋」端子に接続する受信レベル電圧が比較され、ＦＭ信号が受信変換回路２１に入力されていると、スケルチレベル電圧に対して受信レベル電圧はＨｉｇｈ（Ｈ）となる。その出力は、ＦＭ入力検知ＳＷ２８に入力され、ＦＭ入力検知の有無を切替制御器４に出力する。電圧比較器２２からの信号が「Ｈ」であるので、ＦＭ入力検知の有（ＣＬＯＳＥ）が出力される。
【００４９】
また、電圧比較器２２からの出力がトランジスタ２４のベースに入力され、ベース入力がＨ（ＦＭ入力検知：有）であるので、トランジスタ２４はオンになり、ＩＦ回路接続リレー２３に電流が流れて動作し、接続スイッチ２７がオン（接続）となる。
更に、トランジスタ２４のコレクタ側の点ａにＩＦ回路強制接続端子の一方の配線が接続され、トランジスタ２４のエミッタ側の点ｂにＩＦ回路強制接続端子の他方の配線が接続されている。ＩＦ回路強制接続端子で点ａと点ｂを接続することで、ＩＦ回路接続リレー２３を強制的に動作させるものである。
そして、送信変換回路２５には、受信変換回路２１からのＩＦ信号が入力され、ＦＭ信号に変換しＡＭＰ２６に出力され、ＡＭＰ２６は、増幅したＦＭ信号を出力する。
【００５０】
次に、中継送信機２にＦＭ信号の入力がない場合について説明する。
受信変換回路２１にＦＭ信号の入力がないと、電圧比較器２２は、スケルチレベル電圧に対して受信レベル電圧が低くなり、出力電圧は「Ｌ」になる。
すると、ＦＭ入力検知では無しで、切替制御器４には無（ＯＰＥＮ）が出力される。
【００５１】
また、電圧比較器２２からの出力電圧が「Ｌ」となるので、トランジスタ２４はオフとなり、ＩＦ回路接続リレー２３に電流が流れずに動作せず、接続スイッチ２７がオフ（切断）となる。そのため、ＩＦ信号は送信変換回路２５には入力されず、ＡＭＰ２６からＦＭ出力されない。
【００５２】
但し、切替制御器４からＩＦ回路強制接続の指示をＩＦ回路強制接続端子に受けると、トランジスタ２４のコレクタ側の点ａとエミッタ側の点ｂを強制的に接続して、ＦＭ入力が無いにも関わらず、ＩＦ回線接続リレー２３を動作させ、接続スイッチ２７を接続にすることができる。
【００５３】
更に、切替制御器４からＡＭＰ ＯＦＦ 制御信号が中継送信機２の電源制御回路２９に入力され、ＡＭＰ２６の電源オフの「ＣＬＯＳＥ」の制御信号が入力されると、電源制御回路２９は、ＡＭＰ２６の電源をオフにする。
また、ＡＭＰ２６の電源オンの「ＯＰＥＮ」の制御信号が入力されると、電源制御回路２９は、ＡＭＰ２６の電源をオンにする。
尚、ＡＭＰ ＯＦＦ 制御信号は、切替制御器４に設けられた押しボタンによって「ＣＬＯＳＥ」又は「ＯＰＥＮ」が選択されるようになっている。
【００５４】
［本装置の切替制御器の論理系統：図３］
次に、本装置の切替制御器の論理系統について図３を参照しながら説明する。図３は、本装置の切替制御器の論理系統図である。
切替制御器４では、図３に示すように、１号中継送信機と２号ＦＭ中継送信機からＦＭ入力検知信号が入力される。図３では、ＦＭ入力検知無し（ＯＰＥＮ）が入力された場合を説明する。
【００５５】
１号受信無（１号中継送信機からＦＭ入力検知無し）の場合、２号受信無（２号中継送信機からＦＭ入力検知無し）の場合は、「Ｈ」の信号が反転論理和（反転ＯＲ）回路４１に入力される。
反転ＯＲ回路４１は、入力が共に「Ｈ」の場合に、出力が「Ｌ」になるが、それ以外の入力の場合は、出力が「Ｈ」になる。
【００５６】
また、１号中継送信機がＦＭ出力用のアンテナ（１号アンテナ）に接続中の場合は「Ｈ」を出力し、接続していない場合は「Ｌ」を出力する。
また、２号中継送信機がＦＭ出力用のアンテナ（２号アンテナ）に接続中の場合は「Ｈ」を出力し、接続していない場合は「Ｌ」を出力する。
通常、１号アンテナ又は２号アンテナの一方が接続中となる。
【００５７】
更に、切替制御器４に設けられた待機中の中継送信機のＡＭＰ２６をオン／オフするスイッチにより、待機入が選択されると「Ｈ」信号が出力される。この入「Ｈ」は、待機中の中継送信機のＡＭＰ２６をオンにするものである。待機切「Ｌ」は、待機中の中継送信機のＡＭＰ２６をオフにするものである。
【００５８】
反転ＯＲ回路４１は、１号受信無と２号受信無の両方の場合に出力が「Ｌ」となり、その出力が反転回路４８に入力され、反転出力「Ｈ」がオンディレータイマ４９に入力され、１０秒（１０ｓｅｃ）後に放送休止を出力する。
従って、１号中継送信機又は２号中継送信機のいずれかにＦＭ入力信号有りであれば、放送休止とはならない。
【００５９】
そして、本装置の特徴として、論理積回路（ＡＮＤ）５１〜５４が新たに設けられている。
ＡＮＤ回路５１には、２号アンテナ接続中（２号ＦＭ中継送信機がアンテナ接続中）の信号、待機入の信号とオンディレータイマ４９からの信号が入力される。これら信号が全て「Ｈ」ときに１号中継送信機にＩＦ回路強制接続の指示を出力する。
ＡＮＤ回路５２には、１号アンテナ接続中（１号ＦＭ中継送信機がアンテナ接続中）の信号、待機入の信号とオンディレータイマ４９からの信号が入力される。これら信号が全て「Ｈ」ときに２号中継送信機にＩＦ回路強制接続の指示を出力する。
【００６０】
ＡＮＤ回路５３には、２号アンテナ接続中の信号、待機入の信号とオンディレータイマ４９からの信号が入力される。これら信号が全て「Ｈ」ときに排他的ＯＲ回路４６に「Ｈ」を出力する。
ＡＮＤ回路５４には、１号アンテナ接続中の信号、待機入の信号とオンディレータイマ４９からの信号が入力される。これら信号が全て「Ｈ」ときに排他的ＯＲ回路４７に「Ｈ」を出力する。
【００６１】
また、反転ＯＲ回路４１からの出力は、論理積（ＡＮＤ）回路４２，４３，４４，４５に入力される。
ＡＮＤ回路４２〜４５は、反転ＯＲ回路４１からの出力が「Ｌ」の場合（１号受信無と２号受信無の両方の場合）には、出力が「Ｌ」となる。
また、ＡＮＤ回路５３は、２号アンテナ接続中「Ｈ」で待機入「Ｈ」であれば、出力が「Ｈ」となり、それ以外は、出力が「Ｌ」となる。また、ＡＮＤ回路５４は、１号アンテナ接続中「Ｈ」で待機入「Ｈ」であれば、出力が「Ｈ」となり、それ以外は、出力が「Ｌ」となる。
【００６２】
この状態（放送休止判定中）では、排他的論理和（排他的ＯＲ）回路４６は、２号アンテナ接続中（２号ＦＭ中継送信機がアンテナ接続中）「Ｈ」かつ１号アンテナダミー接続中（１号ＦＭ中継送信機がダミーアンテナ接続中）「Ｌ」で待機入「Ｈ」（放送休止中）の状態で、出力が「Ｌ」となり、１号中継送信機に「ＯＰＥＮ」（ＡＭＰ ＯＮ／１号 ＡＭＰ ＯＮ）を出力する。つまり、１号アンテナ接続中で待機入では、ダミーアンテナ接続の１号中継送信機のＡＭＰ２６は電源オフとはならない。
また、排他的ＯＲ回路４７は、１号アンテナ接続中（１号ＦＭ中継送信機がアンテナ接続中）「Ｈ」かつ２号アンテナダミー接続中（２号ＦＭ中継送信機がダミーアンテナ接続中）「Ｌ」で待機入「Ｈ」の状態で、出力が「Ｌ」となり、２号中継送信機に「ＯＰＥＮ」（ＡＭＰ ＯＮ／２号 ＡＭＰ ＯＮ）を出力する。つまり、２号アンテナ接続中で待機入では、ダミーアンテナ接続の２号中継送信機のＡＭＰ２６は電源オフとはならない。
【００６３】
反転ＯＲ回路４１の出力が「Ｈ」の場合（１号受信有又は２号受信有、若しくは両方が受信有の場合）は、１号アンテナ接続中「Ｈ」で２号アンテナが接続中でない「Ｌ」で、待機入「Ｈ」であれば、ＡＮＤ回路４２，４５は、出力が「Ｈ」となり、ＡＮＤ回路４３，４４，５３，５４は、出力が「Ｌ」となり、排他的ＯＲ回路４６，４７の出力は「Ｌ」となり、１号中継送信機も２号中継送信機もＡＭＰ２６は電源オフにはならない。
反転ＯＲ回路４１の出力が「Ｈ」で、２号アンテナ接続中「Ｈ」で１号アンテナが接続中でない「Ｌ」で、待機入「Ｈ」である場合も、上記と同様の結果となる。
【００６４】
また、反転ＯＲ回路４１の出力が「Ｈ」で、１号アンテナ接続中「Ｈ」で２号アンテナが接続中でない「Ｌ」で、待機切「Ｌ」の場合は、ＡＮＤ回路４２の出力が「Ｈ」で、その他のＡＮＤ回路４３〜４５，５３，５４の出力は「Ｌ」で、排他的ＯＲ回路４６の出力は「Ｌ」で、排他的ＯＲ回路４７の出力は「Ｈ」となり、ＦＭ出力用のアンテナに接続していない２号中継送信機のＡＭＰ２６の電源をオフにする。
【００６５】
また、反転ＯＲ回路４１の出力が「Ｈ」で、２号アンテナ接続中「Ｈ」で１号アンテナが接続中でない「Ｌ」で、待機切「Ｌ」の場合は、ＡＮＤ回路４４の出力が「Ｈ」で、その他のＡＮＤ回路４２，４３，４５，５３，５４の出力は「Ｌ」で、排他的ＯＲ回路４７の出力は「Ｌ」で、排他的ＯＲ回路４６の出力は「Ｈ」となり、ＦＭ出力用のアンテナに接続していない１号中継送信機のＡＭＰ２６の電源をオフにする。
【００６６】
図３に示したように、切替制御器４の論理系統の処理では、送信アンテナに接続された中継送信機に対して、放送休止時にＩＦ回路強制接続の制御を行わないようにし、ＡＭＰ ＯＦＦの制御を行い、擬似空中線６に接続された中継送信機に対して、放送休止時で待機入を選択した場合に限りＩＦ回路強制接続制御を行い、ＡＭＰ ＯＦＦ制御を解除するものである。
【００６７】
［実施の形態の効果］
本装置によれば、切替制御器４から１号中継送信機２と２号中継送信機３に、ＩＦ回路強制接続の指示を出力し、親局の放送休止中には、送信アンテナに接続された中継送信機のＩＦ回路を遮断しながら、待機入の選択時のみ擬似空中線６に接続された中継送信機を起動できるようにし、ＦＭ中継送信装置の起動確認（点検）作業を容易に行うことができる効果がある。
【産業上の利用可能性】
【００６８】
本発明は、ＦＭ放送が休止しているときに、擬似空中線に接続している中継送信機に限り起動させ、ＦＭ中継送信装置の起動確認（点検）作業を行うことができるＦＭ中継送信装置に好適である。
【符号の説明】
【００６９】
１…入力フィルタ、  ２，２´…１号ＦＭ中継送信機、  ３，３´…２号ＦＭ中継送信機、  ４，４´…切替制御器、  ５…出力フィルタ、  ６…擬似空中線、  ２１…受信変換回路（ＲＸ）、  ２２…電圧比較器、  ２３…ＩＦ回路接続リレー（ＲＬ）、  ２４…トランジスタ、  ２５…送信変換回路（ＴＸ）、  ２６…多段増幅回路（ＡＭＰ）、  ２７…接続スイッチ、  ２８…ＦＭ入力検知スイッチ（ＳＷ）、  ２９…電源制御回路（ＰＷＲ ＣＯＮＴ）、  ４１…反転論理和回路（反転ＯＲ回路）、  ４２〜４５，５１〜５４…ＡＮＤ回路、  ４６，４７…排他的論理和回路（排他的ＯＲ回路）、  ４８…反転回路、  ４９…オンディレータイマ
【図１】
2020127114.tif 000003
【図２】
2020127114.tif 000004
【図３】
2020127114.tif 000005
【図４】
2020127114.tif 000006
【図５】
2020127114.tif 000007
【図６】
2020127114.tif 000008
【図７】
2020127114.tif 000009